(57)【要約】【課題】商品陳列棚の商品陳列面の傾きを、水平状態と後方上がりに傾斜する傾斜状態とに変更する場合、その変更作業を手間をかけず容易に行えるようにする。【解決手段】ブラケット１２に取付けられ、上面部１３ａが略水平向きとなる第１位置と、上面部１３ａが後方上がりに傾斜する第２位置とに上下方向回動可能な商品陳列棚支持部材１３と、商品陳列棚支持部材を第２位置に回動させる上方位置と、商品陳列棚支持部材を第１位置に回動させる下方位置とに上下方向回動可能な押上部材１４と、ブラケットに前後方向スライド可能に取付けられて後方側にスライドした場合に商品陳列棚支持部材の上面部に載る商品陳列棚１５と、後端部が押上部材に連結されて前端部がブラケットの前端部側に位置し、前端部を手前側に引っ張ることにより押上部材を上方位置に回動させ、前端部を後方側に押すことにより押上部材を下方位置に回動させる回動操作レバー１６と、を有する。【選択図】図４
2018175535.tif 000002
【特許請求の範囲】
【請求項１】
内部に商品陳列室を有し、前面に開口を有するショーケース本体と、
前記商品陳列室内に配置され、後端部が前記ショーケース本体に取付けられて前端部が前記開口に向けて略水平向きに延出する少なくとも左右一対のブラケットと、
前記ブラケットに取付けられ、上面部が略水平向きとなる第１位置と、上面部が後方上がりに傾斜する第２位置とに上下方向回動可能な商品陳列棚支持部材と、
前記ブラケットに取付けられ、前記商品陳列棚支持部材を押し上げてこの商品陳列棚支持部材を前記第２位置に回動させる上方位置と、前記商品陳列棚支持部材の押し上げを終了してこの商品陳列棚支持部材を前記第１位置に回動させる下方位置とに上下方向回動可能な押上部材と、
商品が陳列される商品陳列面を有し、前記ブラケットに前後方向スライド可能に取付けられて後方側にスライドした場合に前記商品陳列棚支持部材の前記上面部に載る商品陳列棚と、
前後方向に延出するとともに前後方向にスライド可能に設けられ、後端部が前記押上部材に連結されるとともに前端部が前記ブラケットの前端部側に位置し、前記前端部を手前側に引っ張ることにより前記押上部材を上方位置に回動させ、前記前端部を後方側に押すことにより前記押上部材を下方位置に回動させる回動操作レバーと、
を有することを特徴とするショーケース。
【請求項２】
前記回動操作レバーは、前記商品陳列棚の裏面側に配置されていることを特徴とする請求項１記載のショーケース。
【発明の詳細な説明】
【技術分野】
【０００１】
本発明は、商品陳列室内に商品陳列棚が設けられ、その商品陳列棚の商品陳列面の傾きを変更可能なショーケースに関する。
【背景技術】
【０００２】
従来、スーパーマーケットやコンビニエンスストア等の店舗では、商品陳列室内に商品陳列棚を設け、その商品陳列棚の商品陳列面上に各種の商品を陳列するようにしたショーケースが使用されている。このようなショーケースにおいては、商品陳列面上に商品を陳列する作業を容易にするため、商品陳列棚を前後方向スライド可能とし、前方に引き出した位置で商品を陳列するようにしたものが知られている。
【０００３】
また、商品陳列面上に商品を陳列する場合、陳列する商品の種類や陳列する商品の量に応じて、商品陳列面を水平状態にしたい場合と、商品陳列面を後方上がりに傾斜させたい場合とがある。商品陳列面を水平状態と傾斜状態とに変更可能としたショーケースとしては、下記特許文献１に記載されたものが知られている。
【０００４】
下記特許文献１に記載されたショーケースでは、断面形状がＬ字形の陳列台板を設け、この陳列台板を棚板上に載置する場合、表裏を反転させることにより、商品陳列面を水平状態、又は、後方上がりに傾斜した状態としている。
【先行技術文献】
【特許文献】
【０００５】
【特許文献１】特開２００７−２４４５５２号公報
【発明の概要】
【発明が解決しようとする課題】
【０００６】
しかしながら、特許文献１に記載されたショーケースでは、陳列台板の商品陳列面を水平状態と傾斜状態とに変更する場合には、陳列台板上に載っている商品を全て降ろした後に陳列台板を表裏反転させなければならず、多大な手間が掛かっている。
【０００７】
本発明は、このような課題を解決するためになされたものであり、その目的は、商品陳列棚における商品が載置される商品陳列面を、水平状態と後方上がりに傾斜する傾斜状態とに変更する場合、その変更作業を手間をかけず容易に行うことができるショーケースを提供することである。
【課題を解決するための手段】
【０００８】
本発明に係るショーケースは、内部に商品陳列室を有し、前面に開口を有するショーケース本体と、前記商品陳列室内に配置され、後端部が前記ショーケース本体に取付けられて前端部が前記開口に向けて略水平向きに延出する少なくとも左右一対のブラケットと、前記ブラケットに取付けられ、上面部が略水平向きとなる第１位置と、上面部が後方上がりに傾斜する第２位置とに上下方向回動可能な商品陳列棚支持部材と、前記ブラケットに取付けられ、前記商品陳列棚支持部材を押し上げてこの商品陳列棚支持部材を前記第２位置に回動させる上方位置と、前記商品陳列棚支持部材の押し上げを終了してこの商品陳列棚支持部材を前記第１位置に回動させる下方位置とに上下方向回動可能な押上部材と、商品が陳列される商品陳列面を有し、前記ブラケットに前後方向スライド可能に取付けられて後方側にスライドした場合に前記商品陳列棚支持部材の前記上面部に載る商品陳列棚と、前後方向に延出するとともに前後方向にスライド可能に設けられ、後端部が前記押上部材に連結されるとともに前端部が前記ブラケットの前端部側に位置し、前記前端部を手前側に引っ張ることにより前記押上部材を上方位置に回動させ、前記前端部を後方側に押すことにより前記押上部材を下方位置に回動させる回動操作レバーと、を有する。
【０００９】
また、上述のショーケースにおいて、前記回動操作レバーは、前記商品陳列棚の裏面側に配置されていることが好ましい。
【発明の効果】
【００１０】
回動操作レバーの前端部を手前側に引っ張ることにより、押上部材が上方位置に回動し、上方位置に回動した押上部材により商品陳列棚支持部材が押し上げられ、商品陳列棚支持部材は上面部が後方上がりに傾斜した第２位置に回動する。そして、商品陳列棚支持部材が第２位置に回動することにより、後方側にスライドして商品陳列棚支持部材の上面部に載っている商品陳列棚は、商品陳列面が後方上がりに傾斜した状態となり、この商品陳列面上に陳列されている商品は後方上がりに傾斜した陳列状態となる。一方、回動操作レバーの前端部を後方側に押すことにより、押上部材が下方位置に回動し、押上部材が下方位置に回動することにより商品陳列棚支持部材は上面部が略水平向きとなる第１位置に回動する。そして、商品陳列棚支持部材が第１位置に回動することにより、後方側にスライドして商品陳列棚支持部材の上面部に載っている商品陳列棚は、商品陳列面が略水平向きとなり、この商品陳列面上に陳列されている商品は略水平の陳列状態となる。ここで、商品陳列棚を後方上がりに傾斜した状態と略水平向きとなる状態とへ変更する作業を、商品陳列棚上に商品を載せたまま手間をかけず容易に行うことができる。
【００１１】
また、回動操作レバーは商品陳列棚の裏面側に配置されているので、買い物客からは見えにくくなっており、買い物客が誤操作することやいたずらすることを防止することができる。
【図面の簡単な説明】
【００１２】
【図１】ショーケースを示す断面側面図である。
【図２】押上部材が下方位置に回動すると共に商品陳列棚支持部材が第１位置に位置し、商品陳列棚が略水平状態に位置している商品陳列部を示す側面図である。
【図３】図２に示す状態から、商品陳列棚を前方側にスライドさせた状態を示す側面図である。
【図４】図３に示す状態から回動操作レバーの前端部を手前側に引っ張ることにより押上部材を上方位置に回動させるとともに商品陳列棚支持部材を第２位置に回動させた状態を示す側面図である。
【図５】図４に示す状態から、商品陳列棚を後方側にスライドさせて後方上がりに傾斜させた状態を示す側面図である。
【発明を実施するための形態】
【００１３】
本発明の一実施形態について、図面に基づいて説明する。図１はショーケース１を示す断面側面図である。このショーケース１は、前面に開口２が形成されるとともに内部に商品陳列室３が形成され、さらに、商品陳列室３の周囲にダクト４が形成されたショーケース本体５を有している。商品陳列室３とダクト４との間は、仕切板６により仕切られている。
【００１４】
ダクト４内には、送風機７と冷却器８とが設けられている。ダクト４内の空気が送風機７により送風され、送風された空気が冷却器８により冷やされて冷気となり、この冷気がダクト４内を矢印で示す方向に流れる。ダクト４内を流れた冷気は、ダクト４の上部に形成された吹出口９から下向きに吹出し、開口２を覆う冷気のエアカーテンを形成する。エアカーテンを形成した冷気はダクト４の下部に形成された吸込口１０からダクト４内に吸込まれ、冷却器８により再び冷やされる。
【００１５】
商品陳列室３内には、上下方向に複数段の商品陳列部１１が設けられている。これらの商品陳列部１１は、ブラケット１２と、商品陳列棚支持部材１３と、押上部材１４と、商品陳列棚１５と、回動操作レバー１６とを備えている。
【００１６】
ブラケット１２は、左右で平行に対向して位置する一対が一組となって設けられており、これらのブラケット１２は後端部がショーケース本体５の一部である仕切板６に取付けられている。また、これらのブラケット１２の前端部は、開口２に向けて略水平向きに延出している。
【００１７】
商品陳列棚支持部材１３は、図２ないし図５に示すように、ブラケット１２の前端部側に位置する支軸１７を支点として上下方向回動可能に設けられている。この回動動作により、商品陳列棚支持部材１３は、図２及び図３に示すように、上面部１３ａが略水平向きとなる第１位置と、図４及び図５に示すように、上面部１３ａが後方上がりに傾斜する第２位置とに回動する。
【００１８】
押上部材１４は、ブラケット１２に形成された円弧状の長孔１８に係合してスライド可能なピン１９を有し、前後方向に移動可能に設けられている。そして、押上部材１４が前後方向に移動することによりピン１９が長孔１８に沿ってスライドし、押上部材１４は、図２及び図３に示す下方位置と、図４及び図５に示す上方位置との間で上下方向に回動する。なお、押上部材１４が上方位置に回動した場合、押上部材１４は商品陳列棚支持部材１３の下面に当接して商品陳列棚支持部材１３を押し上げ、商品陳列棚支持部材１３は図４及び図５に示すように第２位置に回動する。
【００１９】
商品陳列棚１５は、陳列する商品が載置される商品陳列面１５ａを有し、スライドレール（図示せず）を介してブラケット１２に前後方向スライド可能に取付けられている。商品陳列棚１５の前端部側にはスライドロックレバー２０が設けられており、このスライドロックレバー２０が図２の実線で示す位置に位置する場合には、商品陳列棚１５及びスライドレールは前後方向にスライドすることが規制されている。一方、スライドロックレバー２０が図２において二点鎖線で示す位置に回動操作された場合には、商品陳列棚１５及びスライドレールは前後方向へスライドすることが可能となる。
【００２０】
商品陳列棚１５は、後方側にスライドした場合に商品陳列棚支持部材１３の上面部１３ａに載るようになっている。このため、商品陳列棚１５を後方側にスライドさせた場合、商品陳列棚支持部材１３が図２に示すように第１位置に位置する場合には、商品陳列棚１５は略水平向きの状態となり、商品陳列面１５ａも略水平向きとなる。一方、商品陳列棚支持部材１３が図５に示すように第２位置に位置する場合には、商品陳列棚１５は支軸１７を支点として後方上がりに傾斜した状態となり、商品陳列面１５ａも後方上がりに傾斜した状態となる。
【００２１】
回動操作レバー１６は、押上部材１４を下方位置と上方位置とに回動させる部材であり、前後方向に延出するとともに前後方向にスライド可能に設けられている。回動操作レバー１６の後端部は押上部材１４の前端部に連結され、回動操作レバー１６の前端部の取手部１６ａはブラケット１２の前端部側に位置している。また、ブラケット１２の前端部側にはガイド板２２が固定され、このガイド板２２には略Ｌ字形に屈曲したガイド溝２３が形成されている。そして、このガイド溝２３内に回動操作レバー１６の前端側に設けられたピン２４がスライド可能に係合されている。ガイド溝２３は水平部２３ａと垂直部２３ｂとからなり、ピン２４が水平部２３ａに係合されている場合には回動操作レバー１６が前後方向にスライド可能となり、ピン２４が垂直部２３ｂに係合されている場合には回動操作レバー１６の前後方向へのスライド動作が規制されている。
【００２２】
また、回動操作レバー１６は、商品陳列棚１５の裏面側に配置されている。
【００２３】
このような構成において、このショーケース１では、商品陳列棚１５に陳列する商品の種類や量に応じて商品陳列棚１５の傾きを略水平状態に変更し、又は、後方上がりの傾斜状態に変更することができる。図１に示す状態では、上側４段の商品陳列部１１では商品陳列棚１５が略水平向きとされ、下側４段の商品陳列部１１では商品陳列棚１５が後方上がりの傾斜状態とされている。
【００２４】
商品陳列棚１５の傾きを図２に示す略水平向きの状態から図５に示す後方上がりの傾斜状態に変更する場合の操作手順について以下に説明する。
【００２５】
まず、スライドロックレバー２０を図２において二点鎖線で示すロック解除位置に回動操作し、商品陳列棚１５とスライドレールとを前後方向にスライド可能とする。
【００２６】
その後、図３に示すように、商品陳列棚１５とスライドレールとを前方側（矢印Ａ方向）へスライドさせる。商品陳列棚１５が前方側にスライドすることにより、商品陳列棚１５は商品陳列室３内の後方側から開口２側に移動するので、開口２から手を入れて行う商品陳列棚１５の商品陳列面１５ａ上への商品の陳列作業を容易に行うことができるようになる。
【００２７】
図３に示すように商品陳列棚１５を前方側へスライドさせた後、回動操作レバー１６の取手部１６ａを把持し、回動操作レバー１６を手前側に引っ張る。これにより、押上部材１４が前方側へスライドするとともにピン１９が長孔１８に沿って上昇することにより、押上部材１４は図４に示すように後方上がりに傾斜した状態となる。そして、押上部材１４が後方上がりに傾斜した状態となることにより、商品陳列棚支持部材１３は押上部材１４により押し上げられて支軸１７の回りに上方に回動し、図４に示すように後方上がりに傾斜した状態となる。
【００２８】
なお、回動操作レバー１６を手前側に引っ張った場合、回動操作レバー１６のピン２４はガイド溝２３内をスライドし、ピン２４がガイド溝２３の垂直部２３ｂに入り込むことにより、回動操作レバー１６の前後方向へのスライド動作が規制され、押上部材１４及び商品陳列棚支持部材１３は図４に示した傾斜状態で保持される。
【００２９】
押上部材１４と商品陳列棚支持部材１３とが図４に示した傾斜状態に保持された後、スライドロックレバー２０をロック解除位置に回動操作し、商品陳列棚１５とスライドレールとを後方側（図５に示す矢印Ｂ方向）にスライドさせる。
【００３０】
このスライド操作により、商品陳列棚１５は商品陳列棚支持部材１３の上面部１３ａの上に載ってスライドし、図５に示すように、商品陳列棚１５は後方上がりに傾斜した状態になるとともに商品陳列面１５ａも後方上がりに傾斜した状態になる。
【００３１】
図５に示すように後方上がりに傾斜している商品陳列棚１５を図２に示すような水平状態に変更する場合には、水平状態から傾斜状態に変更した手順と逆の手順で行う。即ち、図５の状態から商品陳列棚１５を手前側にスライドさせ、図４の状態とする。ついで、回動操作レバー１６の前端部を持ち上げてピン２４を水平部２３ａに移動させた後、回動操作レバー１６を後方側に押すことにより押上部材１４と商品陳列棚支持部材１３とを図３に示すような水平状態とする。その後、商品陳列棚１５を後方側にスライドさせて図２に示す水平状態とする。
【００３２】
ここで、商品陳列棚１５を水平状態と後方上がりの傾斜状態とに変更する場合、変更する作業者はブラケット１２の前端側に位置する回動操作レバー１６の前端部の取手部１６ａを把持し、この取手部１６ａを押したり引っ張ったりすることにより行うことができ、しかも、商品陳列面１５ａ上に商品を載せたまま手間をかけず容易に行う事ができる。
【００３３】
また、商品陳列棚１５を水平状態と後方上がりの傾斜状態とに変更する機構である押上部材１４と商品陳列棚支持部材１３と回動操作レバー１６とが商品陳列棚１５の下方に配置されているため、この機構を設けているにも関わらず商品陳列面１５ａの商品陳列スペースを狭めることがなく、十分な商品陳列スペースを確保することができる。
【００３４】
また、商品陳列棚支持部材１３が後方上がりの傾斜状態となった場合、商品陳列棚支持部材１３の後端側が押上部材１４により支持されているため、商品陳列棚１５の支持強度を高めることができ、重量物の商品の陳列にも耐えうる強度の高い商品陳列部１１を得ることができる。
【００３５】
また、回動操作レバー１６は商品陳列棚１５の裏面側に配置されているので、買い物客からは見えにくくなっており、買い物客、特に子供がこの回動操作レバー１６を誤操作し又はいたずらすることを防止することができる。
【符号の説明】
【００３６】
１      ショーケース
２      開口
３      商品陳列室
４      ダクト
５      ショーケース本体
６      仕切板
７      送風機
８      冷却器
９      吹出口
１０      吸込口
１１      商品陳列部
１２      ブラケット
１３      商品陳列棚支持部材
１３ａ    上面部
１４      押上部材
１５      商品陳列棚
１５ａ    商品陳列面
１６      回動操作レバー
１６ａ    取手部
１７      支軸
１８      長孔
１９      ピン
２０      スライドロックレバー
２２      ガイド板
２３      ガイド溝
２３ａ    水平部
２３ｂ    垂直部
２４      ピン
【図１】
2018175535.tif 000003
【図２】
2018175535.tif 000004
【図３】
2018175535.tif 000005
【図４】
2018175535.tif 000006
【図５】
2018175535.tif 000007